(57)【要約】【課題】騎乗者のブーツに対して簡単に滑らないようにし、ブーツの底に対して十分高い摩擦係数を有し、しかも弾力性を有する鐙用鐙挿入部を提供する。【解決手段】本発明は、ブーツを置くための表面部（３４、３６）を有する支持面（５０）と、鐙と取り外し可能に連結可能な保持領域（５２）を備える前記鐙用鐙挿入部（２４）に関するものである。前記支持面（５０）は内方部分（２８）及び外方部分（２６）を有する。前記内方部分（２８）は、少なくともＺ軸方向に前記外方部分（２６）によって取り囲まれる。好ましくは前記内方部分（２８）は、前記外方部分（２６）よりも軟質である。【選択図】図２【特許請求の範囲】
【請求項１】
ブーツを置くための表面部（３４、３６）を有する支持面（５０）と、鐙と取り外し可能に連結可能な保持領域（５２）を備える鐙用鐙挿入部（２４）において、
前記支持面（５０）は内方部分（２８）及び外方部分（２６）を有し、前記外方部分（２６）は、少なくともＺ軸方向に、前記内方部分（２８）の周囲を取り囲むグリップ部を形成し、好ましくは前記内方部分（２８）は、前記外方部分（２６）よりも軟質に構成される、
ことを特徴とする鐙挿入部（２４）。
【請求項２】
前記内方部分（２８）のショア硬度は、２０〜５０であり、前記外方部分（２６）のショア硬度は、５０〜９０であることを特徴とする、請求項１記載の鐙挿入部（２４）。
【請求項３】
前記外方部分（２６）と比較して、前記内方部分（２８）のさらに軟質な構成は、以下の技術的特徴、
ａ．前記内方部分（２８）の材料は、前記外方部分（２６）の材料よりも軟質である、
ｂ．前記内方部分（２８）は、少なくとも２つの層部（６２）、すなわち、一方は上方にあり、弾性的でより薄い上層部、及びもう一方は前記上層部よりも実質的に軟質な材料で作製される下層部、例えば気泡ゴム、空気室、から構築される、
ｃ．前記内方部分（２８）は、前記外方部分（２６）とは異なるようなスタッドを埋設した構造などの、表面構造を有する、
のうちの少なくとも１つによって達成されることを特徴とする、請求項１記載の鐙挿入部（２４）。
【請求項４】
前記内方部分（２８）の表面部は、前記外方部分（２６）の表面部に対して、少なくとも１ｍｍ、好ましくは少なくとも３ｍｍ上方に突出することを特徴とする、請求項１記載の鐙挿入部（２４）。
【請求項５】
前記内方部分（２８）は、外側へわずかに湾曲され、前記湾曲は頂上部を有し、前記頂上部は前記外方部分（２６）に対して少なくとも１ｍｍ、好ましくは３ｍｍ上方に突出することを特徴とする、請求項１記載の鐙挿入部（２４）。
【請求項６】
前記内方部分（２８）は、前記外方部分（２６）と連結するか、あるいは連結しない、ことを特徴とする、請求項１記載の鐙挿入部（２４）。
【請求項７】
前記内方部分（２８）は、それ自体を保持する領域（５２）を備えることを特徴とする、請求項１または６記載の鐙挿入部（２４）。
【請求項８】
前記内方部分（２８）は、卵円型の縁部を備えることを特徴とする、請求項１記載の鐙挿入部（２４）。
【請求項９】
前記外方部分（２６）は、前記内方部分（２８）を挿入する窓部を有することを特徴とする、請求項１記載の鐙挿入部（２４）。
【請求項１０】
前記内方部分（２８）は、前記外方部分（２６）よりも、ショア硬度の少なくとも１０度、好ましくは、ショア硬度の少なくとも２０度軟質であることを特徴とする、請求項１記載の鐙挿入部（２４）。
【発明の詳細な説明】
【技術分野】
【０００１】
本発明は、鐙用鐙挿入部に関するものであり、前記鐙挿入部は、長靴を置くための表面を有する支持面と、鐙と取り外し可能に連結可能な保持領域を備える。
【背景技術】
【０００２】
このような種類の鐙挿入部は、周知であり、現在の到達技術水準に属する。一例として米国特許第６，７６６，６３２Ｂ２号を参照されたい。
【０００３】
鐙挿入部は、長靴に対して簡単に滑らないようにし、できれば滑り落ちないようにするために、騎乗者のブーツの底に対して十分高い摩擦係数を有することを目的としている。さらに鐙挿入部は、ある特定の弾力性を示し、その結果例えばジャンプ時に、緩和機能を有することを目的としている。
【０００４】
従来周知の鐙挿入部の不利な点は、鐙挿入部が同一材料から作製されることである。結果として、騎乗者のある特定の要求が満たされるだけである。１つ及び同一材料は、同時に軟質及び硬質であることは不可能で、高摩擦係数を有するか、あるいはそうでないのか、などとなる。ここが、本発明が想到した点である。それはそれぞれの特性のより大きな自由度を提供するために、鐙挿入部を開発することに向けられる。
【特許文献１】米国特許第６，７６６，６３２号
【発明の開示】
【発明が解決しようとする課題】
【０００５】
したがって、硬質であって同時に軟質であるものの、いくつかの要求を同時に満たすことができるような方法で、上記の種類の鐙挿入部を開発することが、本発明の目的である。
【課題を解決するための手段】
【０００６】
上記の種類の鐙挿入部を鑑みて、本発明の目的は、支持面が内方部分及び外方部分を有し、前記外方部分は、前記内方部分の周囲を取り囲んでいるグリップ部を形成し、前記内方部分は、好ましくは、前記外方部分よりも軟質であるように構成されることで、達成される。
【０００７】
この鐙挿入部の前記内方部分及び前記外方部分は、前記内方部分が、例えば前記外方部分よりも軟質であるように構成する等、別々に形成できる。しかし前記内方部分は、また前記外方部分に対して上方へわずかに突出することもできる。前記内方部分及び前記外方部分を共に連結することは可能であり、先行技術で周知の、一体型の鐙挿入部が提供されてもよい。しかし前記内方部分が前記外方部分と連結されずに、前記外方部分あるいは直接前記鐙に前記内方部分を保持するために、前記内方部分自体を保持する手段を備えることで、２つの部品から形成されることもまた可能である。
【０００８】
好ましい実施形態において、前記内方部分のショア硬度は、２０〜５０であり、前記外方部分のショア硬度は、５０〜９０である。前記内方部分は、接触性と良好な摩擦を付与し、前記外方部分は、密着性を与える。好ましくは、前記外方部分は、前記内方部分より少なくとも１０度ショア硬度が大きく、更に好ましくは少なくとも２０度ショア硬度が大きい。
【０００９】
前記内方部分及び前記外方部分は、種々の方法で、個別に形成できる。例えば前記内方部分は、２つの層部から構築し、上方にある、閉じたさらに薄い上層部は弾力性を有し、下層部は極めて軟質で、常に上層部よりも軟質であり、気泡ゴム、空気室、セル構造を有する材料、又はそれと同等ものから作製できる。欧州特許第１００３６８８Ｂ１号による鐙の出願人によって提案されているように、前記外方部分の硬さは、好ましくは、前記鐙挿入部の硬さに相当する。対照的に前記内方部分は、それより軟質である。
【００１０】
通常、前記鐙挿入部の表面部は、スタッドを埋め込むか、又は別の断面形状を有するが、いかなる場合でも突起部を有する。前記内方部分と前記外方部分とは、前記外方部分と比較して、前記内方部分をより微細な構造にすることによって実現できる。前記内方部分に関しスタッドは、一般により軟質になるために、さらに突出することもまた可能である。
【００１１】
前記外方部分よりも軟質な材料から前記内方部分を作製することもまた可能である。すなわち例えば、より軟質なエラストマー群は、前記内方部分用に考慮に入れることができ、わずかにより硬質なエラストマー群は、前記外方部分用に考慮に入れることができる。
【００１２】
他の特徴と利点は、一例として、図面を参照して与えられた、本発明の添付請求項と４つの実施例の以下の非限定的記載を検討するとさらに明らかになる。
【発明を実施するための最良の形態】
【００１３】
鐙の全容は、図１、図２から見ることができる。図３から図７は、鐙の様々な構成部品を示す。前記鐙は、Ｕ字状片２０、前記Ｕ字状片２０と連結される踏み板２２、及び前記踏み板２２と取り外し可能に連結される本発明の鐙挿入部２４を有する。Ｕ字状片２０及び踏み板２２の具体的実施形態は、同一出願日の特許出願「踏み板を備えた鐙」で論じられている。前記特許の開示は、参照することにより本明細書に全面的に組み込まれる。前記Ｕ字状片２０は、Ｓ字状に視認可能で、左側の鐙が開示されている。右側の鐙では、図１の鏡像で得られるようなＺ字状に延びる。
【００１４】
鐙システム２４は、枠型の外方部分２６と、それに囲まれた内方部分２８を有する。内方部分２８は、卵円型を有する。第１の実施例を構成する図１から７に示した実施形態において、外方部分２６及び内方部分２８は、取り外しできない状態で連結される。それらは、別々に作られるが、完成した組立状態で１つのユニットを形成する。
【００１５】
図に示すように、前記外方部分２６は、Ｕ字状片２０の腕部の内側方向に、内方部分２８の対応する寸法の１．２倍にほぼ相当する寸法を有する。対応する寸法の比率は、１．１〜３倍の間で変動可能である。それに対して直角の、すなわちＺ軸方向の外方部分２６の幅寸法は、内方部分２８の対応する幅寸法の約１．５倍である。ここで、対応する幅寸法の比率は、１．２〜３倍の間で変動可能である。
【００１６】
内方部分２８は、外方部分よりも軟質であるように構成され、これは適切な処置によって達成される。さらに軟質な内方部分と、さらに硬質な外方部分との間のショア硬度の差は、少なくとも１０度、好ましくは、例えば２０度、又は３０度である。第１の実施例において、内方部分を作製する材料はより軟質なので、内方部分はより軟質である。異なるゴム材料又はエラストマーが、２つの部分２６、２８に使用される。
【００１７】
外方部分２６の表面部３４も、内方部分２８の表面部３６も共に、ドーム型のスタッド３０、３２によって形成される。外方部分２６のスタッド３０は、内方部分２８のスタッド３２ほど高くない。違いは、少なくとも１ｍｍである。具体的な実施例において、外方部分２６のスタッド３０の高さは、内方部分２８のスタッド３２の高さの５５％にすぎない。スタッドの異なる高さもまた、外方部分２６よりも内方部分２８を軟質にする。その高低差は、１〜７ｍｍの間で変動可能である。
【００１８】
外方部分２６の表面部と内方部分２８の表面部は、それぞれ平坦であり、Ｘ−Ｚ平面に沿って平行に延伸する。それらは共に、鐙挿入部２４の表面を形成する。典型的実施例において、外方部分２６の表面部３４は、内方部分２８の表面部３６の約２ｍｍ下に位置する。
【００１９】
好ましくは、外方部分２６は、内方部分２８を完全に囲むウインドウ枠の形で構成される。鐙挿入部２４は、Ｘ軸方向に平行に延伸する上方縁部３８を有する。特に好ましくは、外方部分２６が、これらの境界縁部３８を形成する。内方部分２８は、Ｚ軸方向の両側において、これらの縁部３８から少なくとも５ｍｍの距離間隔をあけて離れて配置するように意図されている。結果として、より硬質な外方部分２６が、縁部３８の周囲の領域を形成するので、騎乗者は、より硬く、引き締まった感覚を持つ。結果として、外方部分２６は、案内用にもまた役立つが、内方部分２８は、実質的に密着性を与えることになる。内方部分２８はＵ字状片２０の腕部まで延伸することが可能であり、さらに越えることも可能であり、その結果、内方部分２８がＸ軸方向に鐙挿入部２４の全長にわたって延伸することができる。
【００２０】
好ましくは、ブーツの底に通常負荷をかける場合、内方部分２８が外方部分２６よりも内部へ向かってさらに押圧されるように、鐙挿入部２４が使用される。その使用状況では、次に双方の表面部３４、３６は、Ｘ−Ｚ平面に平行なほぼ一平面内にある。
【００２１】
鐙挿入部は、支持面５０を有する。それは踏み板２２の上に位置する。第１の実施例において、それは内方部分２８及び外方部分２６の一部によって形成される。鐙挿入部２４は、保持領域５２をさらに有する。それは外方部分２６と一体になって連結され、先行技術に基づいて形成される。それは、踏み板２２の少なくとも１つの凹部に設置する中間片５４と、踏み板２２の下方から突き出し、前記踏み板の下方に横方向に係合する保持アーム部５６を有する。対応構造は、先行技術で周知されており、本明細書ではより詳細に論じる必要はない。
【００２２】
第１の実施例において、保持領域５２は外方部分２６のみによって形成される。内方部分２８に保持機能を割り当てる、すなわち、内方部分２８に保持領域の一部を形成することもまた可能である。好ましくは、少なくとも保持領域５２の一部は、外方部分２６に、好ましくは、外方部分２６と一体になって提供される。
【００２３】
図８は、ショルダー部５８が、図示された内方部分２８の下面に追加される実施形態を示している。このショルダー部は、保持領域５２と同じような機能を有する。しかし具体的な実施例において、そのショルダー部は踏み板２２に直接隣接するのではなく、外方部分２６の対応する壁、具体的には外方部分２６の内壁に隣接する。図８に示した実施形態による内方部分２８は、関連した外方部分２６に固く連結されていない。図３から図５に示した外方部分２６は使用できる。例えば、異なるスタッド構成、異なる表面、異なる材料硬度などによって、図８に示した内方部分２８を異なった実施形態ですることは可能である。これは、以下の実施例に対してもまた適用される。次に個々の内方部分２８は、交換できる。外方部分２６は、鐙から取り外してはならず、踏み板２２にとどまることができる。
【００２４】
図９に示した第３の実施例において、交換可能な内方部分２８のもう１つの代替案を示す。本明細書では、それに加えて、表面部３６は平滑であり、湾曲している。最も高く隆起した部分は、内方部分２８の表面部３６の幾何学的中心に位置することがわかる。最も高く隆起した部分は、踏み板２２の中心の上方に位置する。
【００２５】
内方部分２８は、好ましくは、外方部分２６の中心に置かれる。これは、すべての実施例で示される。
【００２６】
図９に示した実施において、表面部３６を形成する層部６２の下には、空気室６０、又は自由空間がある。ここでは、踏み板２２の表面から距離をあけて、内方部分２８を配置する。負荷がかかる時、この空気室６０は縮小され、又は必要な時に完全に使用される。図９に示した実施形態において、内方部分２８は、２つの層部から作製される。すなわち、上方にある、より薄く弾性のある上層部６２、及び空気室６０によって形成される下層部を有する。
【００２７】
図１０に示した内方部分２８の実施において、表面部３６は再び平坦である。それはスタッド３２によって形成される。層部６２の下には、気泡ゴムなどの、非常に軟質な材料から作製された層部６４がある。それは、図９に示した実施例の空気室６０と同じ機能を備えている。
【図面の簡単な説明】
【００２８】
【図１】本発明の挿入された鐙挿入部を挿入された鐙の平面図である。
【図２】図１の鐙挿入部を備えた鐙の正面図である。
【図３】図１、図２で挿入される、鐙挿入部の枠状の外方部分の平面図である。
【図４】図３のIV-IV線に沿った断面図である。
【図５】図３で示した図の端面図である。
【図６】図１、図２で挿入される、鐙挿入部の内方部分の平面図である。
【図７】図６のVII-VII線に沿った断面図である。
【図８】図７に類似した断面図であるが、別の実施形態の断面図である。
【図９】図７に従った断面図であるが、ここでは湾曲した実施形態の断面図である。
【図１０】図７に類似した断面図であるが、ここでは２つの層部の構成を備えた断面図である。
【符号の説明】
【００２９】
20  Ｕ字状片
22  踏み板
24  鐙挿入部
26  外方部分
28  内方部分
30  （外方部分の）スタッド
32  （内方部分の）スタッド
34  （外方部分の）表面部
36  （内方部分の）表面部
50  支持面
56  保持アーム部
【図１】
2009529929.tif 000002
【図２】
2009529929.tif 000003
【図３】
2009529929.tif 000004
【図４】
2009529929.tif 000005
【図５】
2009529929.tif 000006
【図６】
2009529929.tif 000007
【図７】
2009529929.tif 000008
【図８】
2009529929.tif 000009
【図９】
2009529929.tif 000010
【図１０】
2009529929.tif 000011
【国際調査報告】
2009529929.tif 000012
2009529929.tif 000013
2009529929.tif 000014
2009529929.tif 000015